【事件の表示】
　特願２０１３−１８４９８５「電気接続箱」拒絶査定不服審判事件〔平成２７年　３月１９日出願公開，特開２０１５−　５３７９８，請求項の数（３）〕について，次のとおり審決する。
【結　論】
　原査定を取り消す。
　本願の発明は，特許すべきものとする。
【理　由】
第１　手続の経緯
　本願は，平成２５年９月６日の出願であって，平成２８年８月１０日に審査請求がなされ，平成２９年３月２８日付けで拒絶理由が通知され，同年５月１９日に意見書と手続補正書が提出され，同年６月７日付けで拒絶査定（以下「原査定」という。）され，同年７月３１日に拒絶査定不服審判が請求されるとともに手続補正書が提出され，平成３０年１月２４日付けで当審から拒絶理由（以下「当審拒絶理由」という。）を通知し，同年３月８日に意見書と手続補正書が提出されたものである。
　
第２　原査定の概要
　原査定の理由の概要は次のとおりである。
（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　　　記（引用文献等については引用文献等一覧参照）
・請求項１
・引用文献等：１
・備考
　引用文献１には，アッパカバー４（本願発明の「フレーム」）と，アッパカバー４の下面を覆うロアカバー５（ロアカバー）と，アッパカバー４内に取り付けられかつアッパカバー４の周壁７に沿った位置に配置される装着部１２（ブロック）とを有し，装着部１２に取り付けられた「ヒューズ１９とリレー１８」（部品）に電線１６ａが接続されている電気接続箱１（電気接続箱）において，電線１６ａが，アッパカバー４の内側に向かって装着部１２から水平に引き出されている電気接続箱の発明が記載されている（特に段落[００４１]−[００４７]，［図１］−［図２］を参照されたい）。
　よって，請求項１に係る発明は，引用文献１に記載された発明に基づいて，当業者であれば容易になし得たものであるから，特許法第２９条第２項の規定により，特許を受けることができない。
・請求項２
・引用文献等：１
・備考
　引用文献１（段落[００４１]−[００４７]，［図１］−［図２］）には，装着部１２から複数の電線１６ａが引き出され，最も下方の位置から引き出される電線１６ａが，アッパカバー４の内側に向かって装着部１２から水平に引き出されている構成が記載されている。
　よって，請求項２に係る発明は，引用文献１に記載された発明に基づいて，当業者であれば容易になし得たものであるから，特許法第２９条第２項の規定により，特許を受けることができない。
・請求項３
・引用文献等：１
・備考
　引用文献１（段落[００４１]−[００４７]，［図１］−［図２］）に記載の装着部１２は，周壁７に沿って高さ方向に並べられて配置された複数の区画を有している。そして，これらの複数の区画のそれぞれを，個別の小ブロックに分割して配置することは，当業者が適宜なし得た設計的事項にすぎない。
　よって，請求項３に係る発明は，引用文献１に記載された発明に基づいて，当業者であれば容易になし得たものであるから，特許法第２９条第２項の規定により，特許を受けることができない。
　　　　　　　　　　＜引用文献等一覧＞
１.特開２０１２−１０５５０８号公報
２.特開２０００−９２６６１号公報
第３　当審拒絶理由の概要
　当審拒絶理由の概要は次のとおりである。
（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。  
  
　　　　　記　　　（引用文献等については引用文献等一覧参照）  
・請求項　１−３  
・引用文献１−５  
・備考　  
・請求項１について 
　引例１の【００１６】−【００２４】，図１等の記載を特に参照されたい。
　引例１には，以下の発明（以下「引用発明」という。）が記載されている。
「４面からなる枠状の周壁１３を有するケース１１と，
　該ケース１１の上面を覆うアッパカバー１２と，
　前記前記ケース１１の周壁１３内に，位置決め溝１５，カセットロック部２９，被ロック部３０により取り付けられかつ前記ケース１１の周壁に沿った位置に配置される少なくとも一つの垂直リレーブロック２２と，を有し，
　前記垂直リレーブロック２２に取り付けられたプラグインリレー４２に電線Ｗ２が接続されている電気接続箱１０において，
　前記電線Ｗ２が，前記周壁１３の内側に向かって前記垂直リレーブロック２２の裏側面２２ｃから水平に引き出されている電気接続箱。」
　引用発明と本願の請求項１に記載された発明（以下「本願発明１」という。）とを比較すると，本願発明１が，４面からなる枠状の周壁を有するフレームと，該フレームの上面を覆うアッパカバーと，該フレームの下面を覆うロアカバーとを備えるのに対して，引用発明では，４面からなる枠状の周壁１３を有するケース１１と，該ケース１１の上面を覆うアッパカバー１２とを備える点で相違（相違点１）し，その余で一致する。
　一方，４面からなる枠状の周壁を有するフレームと，該フレームの上面を覆うアッパカバーと，該フレームの下面を覆うロアカバーとを備えた構造は，引例２の図１，引例３の図１，引例４の図１，引例５の図２にも記載されているように周知である。
　そして，引用発明において，ケース１１が，底と周壁が一体である構造を有していることは，引用発明の課題解決における要点ではないから，引用発明において，ケース１１の構造を，前記周知の構造，すなわち，４面からなる枠状の周壁を有するフレームと，ロアカバーとからなる構造とすることは当業者が適宜なし得たことである。また，そのこのような構造を採用したことによる効果も当業者が予測する範囲内のものと認められる。 
・請求項２について 
　引例１の図１（Ａ）を参照されたい。
・請求項３について 
　引例１の図１（Ａ）を参照されたい。引例１には，水平リレーブロック２１と，垂直リレーブロック２２とが，高さ方向に並べられて配置されている。
  
　　　　　　　　　　　引　用　文　献　等　一　覧  
１．特開２００９−２７８８００号公報 
２．特開２０１１−１２５１７４号公報 
３．特開２０００−３７０１７号公報 
４．特開平７−１３１９１６号公報 
５．特開２０１１−４５３１号公報 
 
第４　本願発明
　本願の請求項１ないし３に係る発明（以下「本願発明１」ないし「本願発明３」という。）は，平成３０年３月８日に提出された手続補正書により補正された特許請求の範囲の請求項１ないし３に記載されている事項により特定される発明であり，以下のとおりである。
「【請求項１】
　４面からなる枠状の周壁を有するフレームと，該フレームの上面を覆うアッパカバーと，該フレームの下面を覆うロアカバーと，前記フレーム内に取り付けられかつ前記周壁の一の面に沿った位置に配置されるとともに当該面に近接して配置される少なくとも一つのブロックと，を有し，前記ブロックに取り付けられた部品に電線が接続されている電気接続箱において，
　前記電線が，前記周壁の一の面から離れる方向に向かって前記ブロックから水平に引き出されている
　ことを特徴とする電気接続箱。
【請求項２】
　前記ブロックから複数の電線が引き出され，最も下方の位置から引き出される電線が，前記周壁の一の面から離れる方向に向かって前記ブロックから水平に引き出されている
　ことを特徴とする請求項１に記載の電気接続箱。
【請求項３】
　複数のブロックが，前記周壁の一の面に沿って高さ方向に並べられて配置され，最も下方のブロックから引き出される電線が，前記周壁の一の面から離れる方向に向かって前記ブロックから水平に引き出されている
　ことを特徴とする請求項１又は請求項２に記載の電気接続箱。」
第５　特許法第２９条第２項（進歩性）について
　１　引用文献，引用発明等
（１）引用文献１について
　当審拒絶理由で引用した引用文献１（特開２００９−２７８８００号公報）には，図面とともに次の事項が記載されている。（下線は，当審で付与した。以下同じ。）
「【請求項１】
　
水平断面と比較して垂直断面を大とした深底のケース内に，その上部側に複数のリレー取付部あるいは／およびヒューズ取付部からなる電気部品取付面を水平方向に設けている水平ブロックを収容している一方，該水平ブロックの下部に空間をあけて，複数のリレー取付部あるいは／およびヒューズ取付部からなる電気部品取付面を垂直方向に設けている垂直ブロックを収容し
　
前記垂直ブロックと前記ケースの外周壁との間，および前記垂直ブロックと水平ブロックとの間に空間を設け，該空間を，前記水平ブロックおよび垂直ブロックに取り付けたリレーあるいは／およびヒューズに接続した電線の挿通空間としていることを特徴とする車載用の電気接続箱
【請求項２】
　前記水平ブロックと垂直ブロックにそれぞれ取り付ける少なくとも各１個の電気部品をループ線で接続している請求項１に記載の車載用の電気接続箱。
【請求項３】
　前記
ケースの上部と下部に電線挿通口を設け，これら電線挿通口のいずれかから前記水平ブロックと垂直ブロックに接続された電線を挿通している請求項１または請求項２に記載の電気接続箱
「【発明を実施するための最良の形態】
【００１６】
　以下，本発明の実施形態を図面を参照して説明する。
　図１乃至図４に，本発明の第一実施形態に係る車載用の電気接続箱１０を示す。
【００１７】
　電気接続箱１０は，図１（Ａ）（Ｂ）および図２に示すように，
水平断面よりも垂直断面を大とした上面開口で深底のケース１１内に，電気部品取付面２１ａを上面に水平方向に設けた水平リレーブロック２１と，電気部品取付面２２ａを側面に垂直方向に設けた垂直リレーブロック２２とを収容している
【００１８】
　前記水平リレーブロック２１の電気部品取付面２１ａには，図２に示すように，リレー取付部２３を複数設け，該リレー取付部２３にプラグインリレー４１を差し込み接続している。
　
前記垂直リレーブロックの電気部品取付面２２ａは，図１（Ｂ）に示すように，前記水平リレーブロック２１の電気部品取付面２１ａよりも面積を大としてリレー取付部２４を多数設け，図１（Ａ）に示すように，該リレー取付部２４にプラグインリレー４２を差し込み接続している
【００１９】
　前記ケース１１は，図３（Ａ）に示すように，周壁１３の上部側内面に前記水平リレーブロック２１を係止する突起１４を突設している。水平リレーブロック２１の側壁には凹部２７を形成すると共に，該凹部２７の下部にテーパー突起２８を突設している。
　前記水平リレーブロック２１をケース１１内に組み付けるときは，水平リレーブロック２１を上方から挿入し，図３（Ｂ）に示すように，ケース１１の前記突起１４が前記テーパー突起２８を乗り越えて前記凹部２７に嵌合している。これにより，水平リレーブロック２１をケース１１の上側部に固定し，図２に示すように，ケース１１の上面開口部全体を塞ぐように配置している。
【００２０】
　また，
前記ケース１１の周壁１３の内面には，図４（Ａ）に示すように，周壁１３の上端から前記水平リレーブロック２１の設置位置よりも下方位置まで延在する垂直リレーブロック２２用の位置決め溝１５を上下方向に形成している
【００２１】
　前記垂直リレーブロック２２には，電気部品取付面２２ａを形成していない対向する両側壁に，図４（Ｂ）に示すカセットロック部２９を設けている。該カセットロック部２９は両側部２９ａの連結片２９ｂより係止片２９ｃを設け，該係止片２９ｃにロック爪２９ｄを突設している。
【００２２】
　一方，ケース１１の下部の周壁１３の対向する内面に，前記カセットロック部２９とロック結合する被ロック部３０をそれぞれ設けている。該垂直リレーブロック２２を固定する各被ロック部３０は図４（Ｂ）に示すように，枠部３０ａの外面を可撓片３０ｂとし，該可撓片３０ｂに係止溝３０ｃを設けている。
　前記垂直リレーブロック２１のカセットロック部２９のロック爪２９ｄを周壁１３に設けた被ロック部３０の係止溝３０ｃに係止してロック固定している。
【００２３】
　
前記ケース１１内の，前記水平リレーブロック２１の設置位置よりも下側の領域では，図１（Ａ）に示すように，垂直リレーブロック２２を固定した状態において，該垂直リレーブロック２２の電気部品取付面２２ａの裏側面２２ｃとケース１１の周壁１３の内面との間に空間Ｓ１をあけている。また，水平リレーブロック２１の下面２１ｂと垂直リレーブロック２２の上面２２ｄとの間にも空間Ｓ２をあけている
【００２４】
　また，
ケース１１内の，前記水平リレーブロック２１の設置位置よりも下側部の周壁１３には，底壁１６に近接した下方位置に第一電線挿通口１９を，上方位置に第二電線挿通口２０を設けている。水平リレーブロック２１の下面２１ｂから引き出された電線Ｗ１を前記空間Ｓ１に通して前記第一電線挿通口１９から外部へと導出し，垂直リレーブロック２２の裏側面２２ｃから引き出された電線Ｗ２を，前記空間Ｓ１からＳ２へと配線して前記第二電線挿通口２０から外部へと導出している
【００２５】
　水平リレーブロック２１と垂直リレーブロック２２との間には，前記空間Ｓ１およびＳ２を利用してループ線Ｗ３を配線し，水平リレーブロック２１に搭載した一つのリレー４１ａと垂直リレーブロック２２に搭載した一つのリレー４２ａとを該ループ線Ｗ３で接続している。詳細には，水平リレーブロック２１，垂直リレーブロック２２内には電線端末の端子が挿入されるギャビティ（図示せず）が設けられている。ループ線Ｗ３は前記両ブロック２１，２２の電気部品取付面と反対側の裏面からループ線Ｗ３の端末の端子を前記キャビテイに挿入することでリレーと接続している。
　なお，ループ線はリレー同士だけでなく，ヒューズとリレー，ヒューズ同士を接続してもよい。
【００２６】
　水平リレーブロック２１と垂直リレーブロック２２とを収容固定した
前記ケース１１の上面には，図１（Ａ）（Ｂ）に示すように，アッパーカバー１２を被せて水平リレーブロック２１の上面に搭載されたリレー４１を覆い，該アッパーカバー１２とケース１１とを互いにロック結合している
【００２７】
　前記構成の電気接続箱１０は，ケース１１を深底として垂直リレーブロック２２を収容し，ケース１１の水平断面よりも垂直断面を大としているため，垂直リレーブロック２２のリレー取付面２２ａを大きく確保でき，リレー４２の搭載数を増やすことができる。従って，車両内の設置スペースが水平方向に狭い場合でも垂直方向のスペースを有効活用し，限られたスペースに電気部品を高密度に収容することができる。」
　引用例１の図１には，引用例１の特許請求の範囲に記載された発明の第１の実施形態に係る電気接続箱の内部構成が示されており，上記摘記した明細書の記載事項を参酌すれば，側面断面図である同図（Ａ），及び垂直リレーブロックのリレーを除いた正面視断面図である同図（Ｂ）から，以下の構造を見て取ることができる。
「水平断面と比較して垂直断面を大とした上面開口で深底のケースと，
　前記ケースの上面に被さり，前記ケースと互いにロック結合するアッパーカバーと，
　前記ケース内に収容される，その上部側に複数のリレー取付部あるいは／およびヒューズ取付部からなる電気部品取付面を水平方向に設けている水平ブロック，及び，該水平ブロックの下部に空間をあけて，複数のリレー取付部あるいは／およびヒューズ取付部からなる電気部品取付面を垂直方向に設けている垂直ブロックと，を有する車載用の電気接続箱であって，
　前記上面開口で深底のケースは，底壁，並びに，前記垂直ブロックの前記電気部品取付面に対向する第１周壁，前記第１周壁に対向する第２周壁，周壁の上端から前記水平ブロックの設置位置よりも下方位置まで延在する垂直ブロック用の位置決め溝を上下方向に備えた第３周壁及び第４周壁の４面からなる周壁とを有し，
　前記垂直ブロックの前記電気部品取付面には，リレー取付部が多数設けられ，該リレー取付部にはプラグインリレーが差し込み接続されており，
　前記ケース内の，前記水平ブロックの設置位置よりも下側の領域には，前記垂直ブロックを固定した状態において，該垂直ブロックの電気部品取付面の裏側面と前記ケースの前記第２周壁の内面との間に空間Ｓ１を設け，前記水平ブロックの下面と前記垂直ブロックの上面との間にも空間Ｓ２を設け，
　前記ケース内の，前記水平ブロックの設置位置よりも下側部の前記第１周壁の上方位置には第二電線挿通口が設けられており，
　垂直ブロックの前記裏側面から引き出された電線は，前記空間Ｓ１から前記空間Ｓ２へと配線して前記第二電線挿通口から前記ケースの外部へと導出した車載用の電気接続箱。」
（２）引用発明
　上記の記載から，上記引用文献１には，次の発明（以下「引用発明１」という。）が記載されていると認められる。
「水平断面と比較して垂直断面を大とした上面開口で深底のケースと，
　前記ケースの上面に被さり，前記ケースと互いにロック結合するアッパーカバーと，
　前記ケース内に収容される，その上部側に複数のリレー取付部あるいは／およびヒューズ取付部からなる電気部品取付面を水平方向に設けている水平ブロック，及び，該水平ブロックの下部に空間をあけて，複数のリレー取付部あるいは／およびヒューズ取付部からなる電気部品取付面を垂直方向に設けている垂直ブロックと，を有する車載用の電気接続箱であって，
　前記上面開口で深底のケースは，底壁，並びに，前記垂直ブロックの前記電気部品取付面に対向する第１周壁，前記第１周壁に対向する第２周壁，周壁の上端から前記水平ブロックの設置位置よりも下方位置まで延在する垂直ブロック用の位置決め溝を上下方向に備えた第３周壁及び第４周壁の４面からなる周壁とを有し，
　前記垂直ブロックの前記電気部品取付面には，リレー取付部が多数設けられ，該リレー取付部にはプラグインリレーが差し込み接続されており，
　前記ケース内の，前記水平ブロックの設置位置よりも下側の領域には，前記垂直ブロックを固定した状態において，該垂直ブロックの電気部品取付面の裏側面と前記ケースの前記第２周壁の内面との間に空間Ｓ１を設け，前記水平ブロックの下面と前記垂直ブロックの上面との間にも空間Ｓ２を設け，
　前記ケース内の，前記水平ブロックの設置位置よりも下側部の前記第１周壁の上方位置には第二電線挿通口が設けられており，
　垂直ブロックの前記裏側面から引き出された電線は，前記空間Ｓ１から前記空間Ｓ２へと配線して前記第二電線挿通口から前記ケースの外部へと導出した車載用の電気接続箱。」
（３）引用文献２ないし７について
　ア　当審拒絶理由で引用した引用文献２（特開２０１１−１２５１７４号公報）には，図面とともに次の事項が記載されている。
「【請求項１】
　箱本体と，該箱本体の下側に嵌合する
ロアカバー
フレーム
　前記回路ブロックに少なくとも一つ，前記引き出された数多くの電線の中から突出する柱状コネクタキャビティを設ける
　ことを特徴とする
電気接続箱
「【００３９】
　箱本体３１の組み付けが完了した後，
フレーム構造部
アッパーカバー４３で覆い保護
箱本体３１の下側からロアカバー４４で覆い保護する
電気接続箱４５の組み付けが完了する
　上記記載から，引用文献２には，フレームと，該フレームの上面を覆うアッパーカバーと，該フレームの下面を覆うロアカバーとを備えた電気接続箱の構造が記載されていると認められる。
　イ　当審拒絶理由で引用した引用文献３（特開２０００−３７０１７号公報）には，図面とともに次の事項が記載されている。
「【０００９】電気接続箱１は，環状の接続箱本体２と，接続箱本体２の上部に覆う上カバー３と，接続箱本体２の下部に組み付けられる下カバー４とから成る。・・・」
　上記記載から，引用文献３には，環状の接続箱本体（本願発明１の「フレーム」に相当。）と，該環状の接続箱本体の上面を覆う上カバー（本願発明１の「アッパカバー」に相当。）と，該接続箱本体の下面を覆う下カバー（本願発明１の「ロアカバー」に相当。）とを備えた電気接続箱の構造が記載されていると認められる。
　ウ　当審拒絶理由で引用した引用文献４（特開平７−１３１９１６号公報）には，図面とともに次の事項が記載されている。
「【請求項１】　配線部材を収納する本体部と，この本体部の上面及び下面にそれぞれ被着される表カバー及び裏カバーとよりなる電気接続箱に，前記本体部より下面側に垂設される脚部を設け，その端部に係止部を設けて固定側に固着する取付け部を備えた電気接続箱の取付け構造において，前記裏カバーの前記取付け部に対応する位置に，前記脚部に係合し該脚部の倒れを矯正する係合部を設けたことを特徴とする電気接続箱の取付け構造。」
　上記記載から，引用文献４には，配線部材を収納する本体部（本願発明１の「フレーム」に相当。）と，該本体部の上面に被着される表カバー（本願発明１の「アッパカバー」に相当。）と，該本体部の下面側に被着される裏カバー（本願発明１の「ロアカバー」に相当。）とを備えた電気接続箱の構造が記載されていると認められる。
　エ　当審拒絶理由で引用した引用文献５（特開２０１１−４５３１号公報）には，図面とともに次の事項が記載されている。
「【００２９】
　図２において，
電気接続箱１は
合成樹脂製の防水ボックス１１
を備えて構成されている
【００３０】
　
防水ボックス１１は，機能部品１２，１３の収容部分となるボックス本体１４と，このボックス本体１４の上部開口を覆うアッパーカバー１５（特許請求の範囲に記載したカバーに相当）と，ボックス本体１４の下部に嵌合するロアーカバー１６とを備えて構成されている
　上記記載から，引用文献５には，ボックス本体と，該ボックス本体の上部開口を覆うアッパーカバーと，該ボックス本体の下部に嵌合するロアーカバーとを備えた電気接続箱の構造が記載されていると認められる。
　
　オ　原査定で引用した引用文献６（特開２０１２−１０５５０８号公報：原査定の引用文献１）には，図面とともに次の事項が記載されている。
「【請求項１】
　
箱本体
　
前記箱本体内に収容され，かつワイヤハーネスの複数の電線の端末と電気部品とが装着されるとともに，前記複数の電線と前記電気部品とを予め定められたパターン通りに接続する配線ユニットと，を備えた電気接続箱において
　
前記箱本体が，幅と厚みとの双方よりも高さが大きく形成されていることを特徴とする電気接続箱
【請求項２】
　前記箱本体が，互いに重ねられて取り付けられるアッパカバーと，ロアカバーとを備え，
　前記アッパカバーの高さが前記ロアカバーの高さよりも低く形成されているとともに，アッパカバーに前記配線ユニットが取り付けられるユニット取付部が設けられていることを特徴とする請求項１記載の電気接続箱。
【請求項３】
　
前記箱本体が，互いに重ねられて取り付けられるアッパカバーと，ロアカバーとを備え，
　前記アッパカバーと前記ロアカバーの高さが略等しく形成されている
【請求項４】
　
前記配線ユニットが，絶縁性の材料で構成されかつ前記箱本体に収容される絶縁板と，前記絶縁板の幅方向の縁に設けられかつ前記電気部品と前記電線の端末が取り付けられる装着部と，導電性の板金で構成されかつ前記装着部に装着されるとともに前記装着部に装着されると前記装着部に取り付けられた前記電気部品に接続するバスバと，を備えた
「【発明を実施するための形態】
【００４０】
　以下，本発明の第１の実施形態にかかる電気接続箱を図１ないし図９に基づいて説明する。本実施形態にかかる図１に示す電気接続箱１は，移動体としての自動車に搭載される。電気接続箱１は，図１及び図２に示すように，箱本体２と，配線ユニット３とを備えている。なお，本実施形態では，後述するアッパカバー４とロアカバー５とが互いに重なる方向を高さ方向Ｔとよび，この高さ方向Ｔに対して交差（図示例では直交）しかつ互いに交差（図示例では直交）する二方向を幅方向Ｈ及び厚み方向Ａと呼ぶ。そして，本明細書では，前記高さ方向Ｔの寸法を高さとよび，幅方向Ｈの寸法を幅とよび，厚み方向Ａの寸法を厚みと呼ぶ。
【００４１】
　箱本体２は，互いに重ねられて取り付けられるアッパカバー４と，ロアカバー５とを備えている。アッパカバー４及びロアカバー５は，絶縁性の合成樹脂からなり，周知の射出成形により成形される。
アッパカバー４は，平坦な天井壁６と，この天井壁６の外縁それぞれから立設した四つの周壁７とを備えている
ロアカバー５は，平坦な底壁８と，この底壁８の外縁のうち図２中手前側の一つの外縁を除く三つの外縁から立設した三つの周壁９とを備えている
【００４２】
　
箱本体２は，アッパカバー４とロアカバー５とが互いに重ねられて取り付けられると，前述した幅Ｈ１と厚みＡ１との双方よりも前述した高さＴ１が十分に大きく形成されて，厚み方向Ａに扁平でかつ高さ方向Ｔに縦長に形成されている
本実施形態では，図２に示すように，アッパカバー４の高さＴ１ａと，ロアカバー５の高さＴ１ｂは，互いに略等しく形成されている
【００４３】
　
配線ユニット３は，図３に示すように，絶縁板１０と，ナット１１と，二つの装着部１２と，一つの電線カバー１３と，二つのバスバ１４とを備えている
【００４４】
　絶縁板１０は，表面上に前記自動車に配索されるワイヤハーネス１６（図８に示す）の各電線１６ａを位置付ける。絶縁板１０の幅方向Ｈと高さ方向Ｔの中央には，丸孔１７が貫通している。
【００４５】
　セルフヒンジ１５は，絶縁板１０と同一の絶縁性の合成樹脂で構成され，かつ，前述した高さ方向Ｔに沿って直線状に延在しているとともに，厚みが絶縁板１０の厚みよりも薄く形成されて，可撓性を有している。このため，セルフヒンジ１５は，装着部１２と絶縁板１０とを互いに前記高さ方向Ｔと平行な軸芯回りに回転自在に連結している。セルフヒンジ１５により，図５に示す絶縁板１０上に装着部１２が重ねられる位置と，図４に示す絶縁板１０から装着部１２が離間する位置とに亘って変位自在に，装着部１２と絶縁板１０とは互いに回転自在に連結されている。なお，図示例では，ヒンジとして絶縁板１０よりも厚みが薄くかつこの絶縁板１０と装着部１２との双方と一体に形成されたセルフヒンジ１５を示しているが，本発明では，これに限定することなく，装着部１２及び絶縁板１０と別体の回転軸などを備えた所謂蝶番を用いてもよい。
【００４６】
　ナット１１は，絶縁板１０の図３中奥側即ち絶縁板１０の装着部１２が重なる面の裏側に位置する面に重ねられて，その一部が丸孔１７内に通されて，そのねじ孔１１ａが露出する。
【００４７】
　装着部１２は，それぞれ，高さ方向Ｔに縦長に形成されかつ内側が複数に区画された筒状に形成されている。装着部１２は，前述したセルフヒンジ１５を介して絶縁板１０の両縁それぞれに一体に連結されている。装着部１２内の空間は，装着部１２が絶縁板１０上に重ねられると，幅方向Ｈに沿って直線状に延在している。装着部１２は，当該装着部１２が絶縁板１０上に重ねられた際に，幅方向Ｈの外側に位置する側にＦＬ（ヒュージブルリンク）１８（図８に示す）やヒューズ１９（図８に示す）などの電気部品が装着される。また，装着部１２は，当該装着部１２が絶縁板１０上に重ねられた際に，幅方向Ｈの内側に位置する互いに相対する側に前記自動車に配索されるワイヤハーネス１６の各電線１６ａの端末が装着される。」
　上記の記載から，上記引用文献６には，次の発明（以下「引用発明２」という。）が記載されていると認められる。
「互いに重ねられて取り付けられるアッパカバーとロアカバーとを備えた，幅と厚みとの双方よりも高さが大きく形成されている箱本体と，
　前記箱本体内に収容され，かつワイヤハーネスの複数の電線の端末と電気部品とが装着されるとともに，前記複数の電線と前記電気部品とを予め定められたパターン通りに接続する配線ユニットと，を備えた電気接続箱において，
　前記アッパカバーは，平坦な天井壁と，この天井壁の外縁それぞれから立設した四つの周壁とを備え，
　前記ロアカバーは，平坦な底壁と，この底壁の外縁のうちの一つの外縁を除く三つの外縁から立設した三つの周壁とを備え，
　前記アッパカバーと前記ロアカバーの高さは略等しく形成されているとともに，アッパカバーには，前記配線ユニットが取り付けられるユニット取付部が設けられ，
　前記配線ユニットが，絶縁性の材料で構成されかつ前記箱本体に収容される絶縁板と，前記絶縁板の幅方向の縁に設けられかつ前記電気部品と前記電線の端末が取り付けられる装着部と，導電性の板金で構成されかつ前記装着部に装着されるとともに前記装着部に装着されると前記装着部に取り付けられた前記電気部品に接続するバスバと，を備えた電気接続箱。」
　カ　原査定で引用した引用文献７（特開２０００−９２６６１号公報：原査定で周知技術を示す文献として引用された引用文献２）には，図面とともに次の事項が記載されている。
「【００２７】次に，
電気接続箱の組立について説明
【００２８】次いで，
ケース本体２の周壁
【００３０】次いで，
下カバー４に対して複数の電子部品９を搭載したプリント基板８を載置して，上記層間接続端子３０により必要なブスバー６または電線７と接続した後，ケース本体２に組付けてねじ締めなどにより固定する
【００３１】最後に，リレー用のコネクタ１１に対してリレー１６を接続し，また，ケース本体２の開口上部で前記ブスバー６のヒューズ用端子２６，２６′から成るヒューズ装着部２８に対してヒューズ１５を接続した後，
上カバー３を被せて既知の構造のロック手段又はねじ止めにより固定することにより，組立ては完了する
　上記の記載から，引用文献７には，周壁を有するケース本体（本願発明１の「フレーム」に相当。）と，該本体に被さる上カバー（本願発明１の「アッパカバー」に相当。）と，該本体に取り付けられる下カバー（本願発明１の「ロアカバー」に相当。）とを備えた電気接続箱の構造が記載されていると認められる。
　２　対比・判断
（１）本願発明１について
　ア　対比
　本願発明１と引用発明１とを対比すると，次のことがいえる。
（ア）引用発明１の「アッパーカバー」，「垂直ブロック」，「垂直ブロックの電気部品取付面に対向する第１周壁」，及び「プラグインリレー」は，それぞれ，本願発明１の「アッパカバー」，「少なくとも一つのブロック」，「周壁の一の面」，及び「部品」に相当する。
（イ）引用発明１の「『底壁，並びに，前記垂直ブロックの前記電気部品取付面に対向する第１周壁，前記第１周壁に対向する第２周壁，周壁の上端から前記水平ブロックの設置位置よりも下方位置まで延在する垂直ブロック用の位置決め溝を上下方向に備えた第３周壁及び第４周壁の４面からなる周壁とを有』する『上面開口で深底のケース』」と，本願発明１の「４面からなる枠状の周壁を有するフレーム」とは，「４面からなる周壁を有する部材」である点で一致する。
　したがって，本願発明１と引用発明１との間には，次の一致点，相違点があるといえる。
（一致点）
「４面からなる周壁を有する部材と，該部材の上面を覆うアッパカバーと，前記部材内に取り付けられる少なくとも一つのブロックと，を有し，前記ブロックに取り付けられた部品に電線が接続されている電気接続箱。」
（相違点）
（相違点１）本願発明１が，「４面からなる枠状の周壁を有するフレーム」の下面を覆う「ロアカバー」を有するのに対して，引用発明１は，そのような構成を備えていない点。
（相違点２）本願発明１の，ブロックに取り付けられた部品に接続されている電線が，「周壁の一の面に沿った位置に配置されるとともに当該面に近接して配置される少なくとも一つのブロック」から「前記周壁の一の面から離れる方向に向かって」「水平に引き出されている」のに対して，引用発明１は，そのような構成が特定されていない点。
　イ　相違点についての判断
　事案にかんがみ，相違点２を最初に検討する。
　本願の明細書には以下の記載がある。
「【００２１】
　各ブロック５，６，７から引き出される電線９ａ，９ｂ，９ｃのうち，フレーム２の周壁２０に沿った位置に配置されると共に最も下方のブロック５から引き出される電線９ａは，フレーム２の内側に向かってブロック５から
水平に引き出される
この電線９ａは，図１に示すように，ブロック５内の部分及びブロック５近傍の部分が水平であれば良く
　本願明細書の上記記載から，本願発明１の「電線が・・・ブロックから水平に引き出されている」とは，電線がブロック内の部分及びブロック近傍の部分において水平であることを特定しようとするものであると理解される。
　一方，引用発明１の，電気部品取付面にリレー取付部が多数設けられ，該リレー取付部にプラグインリレーが差し込み接続されている垂直ブロックの裏側面から引き出された電線は，垂直ブロックの電気部品取付面の裏側面とケースの第２周壁の内面との間に設けられた空間Ｓ１から，水平ブロックの下面と垂直ブロックの上面との間に設けられた空間Ｓ２へと配線され，垂直ブロックの電気部品取付面に対向する第１周壁に設けられた第二電線挿通口からケースの外部へと導出される。
　してみれば，引用発明１において，垂直ブロックの裏側面から引き出された電線は，垂直ブロックの電気部品取付面の裏側面とケースの第２周壁の内面との間に設けられた空間Ｓ１から，水平ブロックの下面と垂直ブロックの上面との間に設けられた空間Ｓ２へと繋がる空間内において，垂直ブロックの電気部品取付面に対向する第１周壁から離れる方向に向かって引き出された後に，これと反対方向である前記第１周壁に近づく方向に向かって１８０度向きを変えて導出されるのであるから，前記電線は，弧を描くように配線されていると理解することが自然といえる。
　すなわち，引用発明１において，垂直ブロックの裏側面から引き出された電線は，空間Ｓ１及び空間Ｓ２という狭隘な空間内において，弧を描くように配線されて，１８０度向きを変えて導出されるのであるから，引用発明１の前記電線が，垂直ブロック内の部分及び垂直ブロック近傍の部分において水平であると直ちには認められない。
　そして，前記１８０度向きを変えて導出する配線を，上面開口で深底のケース内の，空間Ｓ１及び空間Ｓ２という狭隘な空間内において行わなければならないという空間的な制約に照らして，垂直ブロックの裏側面から引き出された前記電線を，垂直ブロック内の部分及び垂直ブロック近傍の部分において水平であるように，すなわち垂直ブロックから水平に引き出すことには，阻害要因が存在するといえる。
　したがって，引用発明１において，電線は，垂直ブロック内の部分及び垂直ブロック近傍の部分において水平であるように引き出されているとは認められず，水平に引き出すことに阻害事由が存在する。
　さらに，引用発明１の垂直ブロックは，その電気部品取付面に，リレー取付部が多数設けられ，該リレー取付部にはプラグインリレーが差し込み接続されたものである。
　してみれば，当該垂直ブロックと，当該垂直ブロックの前記電気部品取付面に対向する第１周壁の内面との間には，少なくともリレー取付部と，該リレー取付部に差し込まれたプラグインリレーが介在するから，前記垂直ブロックと前記第１周壁とが，近接して配置されているともいえない。
　しかも，引用例２ないし７に記載された技術的事項及び発明を参酌しても，引用発明１において，上記相違点２について本願発明１の構成を採用する動機を見いだすことはできない。
　
　また，効果について検討すると，本願発明１は，前記相違点１及び相違点２を同時に満たすことによって，４面からなる枠状の周壁を有するフレームと該フレームの下面を覆うロアカバーを有する電気接続箱において，周壁の一の面に沿った位置に配置されるとともに当該面に近接して配置されるブロックに取り付けられた部品に接続された電線が，前記フレームと前記ロアカバーとの間に噛み込むことを防止できるという顕著な効果を奏するものと認められる。
　してみれば，引用文献１ないし７に記載された発明及び技術的事項から，引用発明１において，上記相違点１及び２について本願発明１の構成となすことが当業者にとって容易であったとは認められない。
　そうすると，本願発明１は，引用発明１及び引用文献１ないし７に記載された発明及び技術的事項に基づいて，当業者が容易に発明できたものであるとはいえない。
（２）本願発明２ないし３について
　本願発明２ないし３は，いずれも上記相違点１及び２の構成を備えるから，上記「（１）本願発明１について」と同様の理由により，引用文献１ないし７に記載された発明及び技術的事項に基づいて，当業者が容易に発明できたものであるとはいえない。
第６　原査定についての判断
　原査定における引用文献１，２には，上記「第５　特許法第２９条第２項（進歩性）について　１　引用文献，引用発明等」の，「原査定で引用した引用文献６（原査定の引用文献１）」ないし「原査定で引用した引用文献７（原査定の引用文献２）」において摘記した事項が記載されている。
　一方，平成３０年３月８日付けの手続補正書による補正により，補正後の請求項１ないし３は，いずれも，ブロックに取り付けられた部品に接続されている電線が，周壁の一の面に沿った位置に配置されるとともに当該面に近接して配置される少なくとも一つのブロックから前記周壁の一の面から離れる方向に向かって水平に引き出されているという技術的事項を有するものとなった。
　そして，当該技術的事項は，原査定における引用文献１，２には記載されておらず，本願の出願日前における周知技術でもない。
　したがって，本願発明１ないし３は，原査定における引用文献１，２に記載された発明に基づいて当業者が容易に発明をすることができたものとも認められない。
　したがって，原査定を維持することはできない。
第７　むすび
　以上のとおり，原査定の理由によって，本願を拒絶することはできない。
　他に本願を拒絶すべき理由を発見しない。
　よって，結論のとおり審決する。